(57)【特許請求の範囲】
【請求項１】
冷媒を封入しマイクロスイッチを作動するダイヤフラムと、該ダイヤフラムに固定した固定部材に嵌合するアジャストネジと、該アジャストネジに螺合し回動が制限された樹脂製上下動調節ネジと、該上下動調節ネジと螺合し上下動不能とした回動調節ネジを一体的に形成した樹脂製調節ダイヤルとからなる温度度調節器において、前記上下動調節ネジに固定したストッパーを機体に固定した補強板から突出させた係止片と係合してなり、前記調節ダイヤルの中央下部を前記補強板の中央開口に貫通させ、貫通した前記調節ダイヤルの中央下部の端部に止め輪の一端を支持し、前記止め輪の他端側を前記補強板の裏面に当接させ、前記補強板を止め輪の上記他端側と前記調節ダイヤルの裏面間に挟持するとともに、前記止め輪の前記他端側と、前記補強板の裏面間に樹脂製のフイルムを介装してなることを特徴とする温度調節器。
【発明の詳細な説明】
【０００１】
【発明の属する技術分野】
本発明は、冷凍機や空調装置等の温度調節器に関し、特に、温度調節器の温度設定用ダイヤルを円滑に操作でき、かつ、安価なものとした温度調節器に関する。
【０００２】
【従来の技術】
冷凍庫や空調装置、特にホテルや美術館等において、作動温度を人為的に調節する必要のあるところでは、従来から、手動で任意の温度を設定可能な温度調節器が利用されており、この温度調節器としては、図４に示されるようなものが用いられている。即ち、上下のダイヤフラム板４１、４２の外周を接合してなるダイヤフラム４３内には冷媒が封入され、冷媒の温度変化によってダイヤフラム板４２の中央下部に固定した押釦４４が下方に移動するとき、この押釦４４に近接して配置したマイクロスイッチ４５を作動することにより冷凍回路の作動を制御している。
【０００３】
一方、上ダイヤフラム板４１の中央上部に固定した固定部材４６がアジャストネジ４７に嵌合しており、アジャストネジ４７は上下動調節ネジ４８内に螺合している。上下動調節ネジ４８の下端にはストッパー５０がカシメ止めされており、ストッパー５０の端部に形成した孔５１には、機体５２に固定する補強板５３から下方に突出した係止片５４が係合している。
【０００４】
上下動調節ネジ４８は、回動調節ネジ５５に螺合しており、回動調節ネジ５５には、下端に前記補強板５３の下方を支持するフランジ５６を備え、その上部外周には調節ダイヤル５７を固定している。調節ダイヤル５７は円盤状をなし、その上面の周囲には温度目盛５８が印されており、且つ滑り止め用凹凸５９が調節ダイヤルの外周に形成されている。調節ダイヤル５７の下面と補強板５３の上面との間にはアーム状の第１ストッパ板６０と第２ストッパ板６１が重合して設けられ、第１ストッパ板６０の外周は垂直にのびるアーム部６２が形成され、第２ストッパ板６１の外周も同様に垂直にのびるアーム部６３が形成されている。
【０００５】
上記従来の温度調節用ダイヤルにおいては、上下動調節ネジ４８と回動調節ネジ５５は共に金属製であり、調節ダイヤル５７は合成樹脂製であった。また、その製造に際しては、上下動調節ネジ４８と回動調節ネジ５５とを適宜の位置まで螺合し、その状態で合成樹脂製の調節ダイヤル５７を回動調節ネジ５５の外周に嵌合し、次いで回動調節ネジ５５の上端部をカシメることにより一体化している。
【０００６】
また、補強板５３の上面には突起６５が形成され、調節ダイヤル５７を手動で回動するとき、前記第１ストッパ板６０のアーム部６２が突起６５と係合することにより、調節ダイヤル５７の時計回り方向の回動が制限され、第２ストッパ板６１のアーム部６３が突起６５と係合することにより、調節ダイヤル５７の反時計回り方向の回動が制限される。これにより、調節ダイヤル５７は、あらかじめその位置が設定された第１ストッパ板６０と第２ストッパ板６１の範囲内でのみ温度調整が可能となる。
【０００７】
【発明が解決しようとする課題】
上記従来の温度調節用ダイヤルにおいては、その製作に際しては、上記のように、上下動調節ネジ４８と回動調節ネジ５５とを適宜の位置まで螺合し、その状態で合成樹脂製の調節ダイヤル５７を回動調節ネジ５５の外周に嵌合し、次いで回動調節ネジ５５の上端部をカシメることにより一体化するという作業が必要となり、製造に手数を要する欠点があった。また、両ネジの螺合部には製作誤差と遊びがあるので、上記カシメ時の大きな力により遊び部分で移動変形を起こし、調節点がずれてしまうこともあった。また、上下動調節ネジ４８と回動調節ネジ５５は共に金属製であるため、その回動作動時には摩擦抵抗が大きく、調節ダイヤルの調節に際しての手動による調節ダイヤル回動に力を要し、かつ細かな設定がしずらいという欠点があった。さらに、調節ダイヤルと回動調節ネジが別部材のため多くの部品を必要とし、上記各ネジが金属製であることもあって全体として高価なものとならざるをえなかった。
【０００８】
さらに、補強板５３の上面にはアーム状の第１ストッパ板６０と第２ストッパ板６１が重合して設けられているので、調節ダイヤル５７を手動で回動するとき、前記第１ストッパ板６０と第２ストッパ板６１が補強板５３の上面で摩擦しながら回動し不快な摩擦抵抗を生じる。
【０００９】
したがって、本発明は、容易に製作でき、且つ、調節ダイヤルを円滑に回動でき、しかも正確な温度調節ができて、安価に製作できる温度調節用ダイヤルを提供することを目的とする。
【００１０】
【課題を解決するための手段】
本発明は、上記課題を解決するため、冷媒を封入しマイクロスイッチを作動するダイヤフラムと、該ダイヤフラムに固定した固定部材に嵌合するアジャストネジと、該アジャストネジに螺合し回動が制限された樹脂製上下動調節ネジと、該上下動調節ネジと螺合し上下動不能とした回動調節ネジを一体的に形成した樹脂製調節ダイヤルとからなる温度度調節器において、前記上下動調節ネジに固定したストッパーを機体に固定した補強板から突出させた係止片と係合してなり、前記調節ダイヤルの中央下部を前記補強板の中央開口に貫通させ、貫通した前記調節ダイヤルの中央下部の端部に止め輪の一端を支持し、前記止め輪の他端側を前記補強板の裏面に当接させ、前記補強板を止め輪の上記他端側と前記調節ダイヤルの裏面間に挟持するとともに、前記止め輪の前記他端側と、前記補強板の裏面間に樹脂製のフイルムを介装してなる温度調節器を構成したものである。
【００１１】
本発明は、上記のように構成したので、外気温の変化に応じて冷媒の状態が変化し、ダイヤフラムが収縮、膨張するので、これに応じてマイクロスイッチは作動し、空調装置等の作動制御を行い、室内等の温度調節を行う。その作動温度設定は、調節ダイヤルを回動することにより調節ダイヤルと一体的に形成した回動調節ネジを回動し、これと螺合する上下動調節ネジを上下動させ、ダイヤフラムを上下方向に移動させることによりダイヤフラムによるマイクロスイッチの作動の調節が行われる。
【００１２】
【発明の実施の形態】
本発明の実施例を図面に沿って説明する。図１に示すように、上下のダイヤフラム板１，２の外周を接合してなるダイヤフラム３内には冷媒が封入され、下ダイヤフラム板２の中央下部に押釦４を固設し、この押釦４に近接してマイクロスイッチ５を配設している。それによりダイヤフラムに封入される冷媒の温度に応じてダイヤフラムが変形し、下ダイヤフラム板２が下方に移動してマイクロスイッチ５を作動し、冷媒回路の制御を行っている。
【００１３】
一方、上ダイヤフラム板１の中央上部に固定した固定部材６が合成樹脂製のアジャストネジ７に嵌合されており、アジャストネジ７は合成樹脂製の上下動調節ネジ８内に螺合されている。上下動調節ネジ８の下端には、ストッパー１０が圧入により固定されており、ストッパー１０の端部に形成した孔１１には、機体１２に固定する補強板１３から下方に突出した係止片１４が係合している。
【００１４】
上下動調節ネジ８は、合成樹脂製の調節ダイヤル１５と一体的に形成した回動調節ネジ１６に螺合されており、回動調節ネジ１６を形成するボス部１７の下端外周に、前記補強板１３の下面を受ける止め輪１８を支持している。図２に示すように、止め輪１８の上部と補強板１３の下面間には薄い樹脂製のフイルム２０を設けている。それにより、機体に固定される補強板１３は、その下面をフイルム２０を介して止め輪１８の弾性力で上方に押圧され、調節ダイヤル１５の下面に設けた摺動受け部２１で受けられ、両者間で挟持されている。
【００１５】
図３に示すように、調節ダイヤル１５は円盤状をなし、その上面の周囲には温度目盛２２が刻印されており、且つ、その温度目盛２２が刻印されている調節ダイヤル外周には、凹溝２３が等間隔で形成されている。
【００１６】
図１、図３に示すように、調節ダイヤル１５の下面の適宜位置には、前記摺動受け部２１より高く突出している突起２５，２５を備えており、この突起２５には補強板１３に形成した突部２６が係合できるようになっている。これにより、調節ダイヤル１５を手動で回動するとき、突起２５が突部２６と係合することにより、図３において調節ダイヤル１５の回動が制限され、それにより、調節ダイヤル１５は、予めその位置が設定された範囲内でのみ温度調整が可能となる。
【００１７】
上記温度調節器の使用に際しては、調節ダイヤル１５と一体的に形成した回動調節ネジ１６が回動する。その際、調節ダイヤル１５は止め輪１８により上下方向の移動が制限されており、また、回動調節ネジ１６内で螺合する上下動調節ネジ８はストッパー１０によりその回動が制限され、かつ上下動可能にされているので、上記回動調節ネジ１６の回動により上下動調節ネジ８は上下動し、これに螺合しているアジャストネジ７に嵌合した固定部材６を介して上ダイヤフラム板１が移動する。それにより、外気温を感知した冷媒によりダイヤフラム３の変形に応じて押釦４の移動特性が変化し、冷媒の温度により作動するマイクロスイッチ５の作動特性が変化するため、調節ダイヤル１５により指定した任意の温度でマイクロスイッチ５が作動する。
【００１８】
【発明の効果】
本発明は、上記のように、調節ダイヤルと回動調節ネジとを一体的に合成樹脂で形成したので、部品点数が減少し、且つ容易に制作でき、また、合成樹脂製の回動調節ネジと螺合する上下動調節ネジも合成樹脂製であるので、両者の螺動は円滑であり、調節ダイヤルを円滑に回動することができる。また、従来の金属製の回動調節ネジに合成樹脂製調節ダイヤルを固定する際に生じる調節ずれを生じることがなく、正確な温度調節が可能となるほか、温度調節器全体が安価に製作できる。
【００１９】
また、調節ダイヤルを手動で回動したとき、調節ダイヤルの下面に設けたフィルムにより調節ダイヤルと補強板との摩擦抵抗が小さくなり、突起も合成樹脂で形成されているので、補強板に形成した突部と係合しても不快な摩擦抵抗を生じない。
【図面の簡単な説明】
【図１】  本発明の実施例の温度調節器の断面図である。
【図２】  同要部拡大断面図である。
【図３】  本発明の実施例の温度調節用ダイヤルの平面図である。
【図４】  従来の温度調節器の断面図である。
【図５】  従来の温度調節用ダイヤルの平面図である。
【図１】
0003843338.tif 000002
【図２】
0003843338.tif 000003
【図３】
0003843338.tif 000004
【図４】
0003843338.tif 000005
【図５】
0003843338.tif 000006